(57)【要約】【課題】２波長以上で利用可能であり、光利用効率が高く、対物レンズシフト時に発生するコマ収差のない色収差補正用カップリングレンズ。【解決手段】複数の波長を有する光束を光記録媒体の情報記録面上に集光させる対物レンズの光源側に配置され、少なくとも一方の面に光軸を中心とした同心円状の段差からなる複数の輪帯を備えた色収差補正用のカップリングレンズ。当該カップリングレンズから出射する光束が有限系となる特定の波長λにおいて、有効半径内Ａに形成された段差の大きさをｄＡとし、カップリングレンズの光軸から対物レンズの光軸がシフトしたときのみに波長λの光束が通過する領域に形成された段差の大きさをｄＢとしたとき、ｄＢ＞ｄＡである。【選択図】図１
2008146706.tif 000002
【特許請求の範囲】
【請求項１】
透明基板の厚さが異なる複数種の光記録媒体毎に異なる波長の光ビームが入射され、情報記録面上に集光させる対物レンズの光源側に配置され、少なくとも一方の面に光軸を中心とした同心円状の段差からなる複数の輪帯を備えた色収差補正用のカップリングレンズであって、
当該カップリングレンズから出射する光束が有限系となる特定の波長λにおいて、有効半径内Ａに形成された前記段差の大きさをｄＡとし、
前記カップリングレンズの光軸から前記対物レンズの光軸がシフトしたときのみに前記特定波長λの光束が通過しうる領域に形成された前記段差の大きさをｄＢとしたとき、
ｄＢ＞ｄＡであるカップリングレンズ。
【請求項２】
ｄＡ＝１０．０×λ１／（ｎ１−１）（ただし、ｎ１は波長λ１における屈折率）であることを特徴とする請求項１に記載のカップリングレンズ。
【請求項３】
ｄＡ＜ｄＢ≦１０．１×λ１／（ｎ１−１）であることを特徴とする請求項２に記載のカップリングレンズ。
【請求項４】
前記有限系となる特定の波長λ＝７６０〜８１０ｎｍであることを特徴とする請求項１〜３のいずれか一項に記載のカップリングレンズ。
【請求項５】
前記有限系となる特定の波長λ１＝３８０〜４３０ｎｍであることを特徴とする請求項１に記載のカップリングレンズ。
【請求項６】
前記複数の波長に、波長λ２＝６３０〜６９０ｎｍを含むことを特徴とする請求項１〜５のいずれか一項に記載のカップリングレンズ。
【請求項７】
前記輪帯は各々異なる非球面形状を有することを特徴とする請求項１〜６のいずれか一項に記載のカップリングレンズ。
【請求項８】
前記対物レンズが互換レンズであることを特徴とする請求項１〜７のいずれか一項に記載のカップリングレンズ。
【請求項９】
請求項１〜８のいずれか一項に記載のカップリングレンズを備えた光ピックアップ装置。
【発明の詳細な説明】
【技術分野】
【０００１】
本発明は、複数種類の単色光を用いる多波長用光学系であって、例えばＣＤ（Compact Disc）やＤＶＤ（Digital Versatile Disc）やＨＤ−ＤＶＤ（High Density Digital Versatile Disc）やＢｌｕ−ｒａｙなど種類が異なる光記録媒体に対応できる互換型光ディスク装置に用いられうるカップリングレンズ及びそれを用いた光ピックアップ装置に関する。
【背景技術】
【０００２】
近年の光ディスクの大容量化、高密度化の進展により、ＨＤ−ＤＶＤやブルーレイディスクなどの新規格の高密度光ディスクが提案され、実用化されている。これに伴い、上記新規格の高密度光ディスクと従来のＣＤやＤＶＤなどの種類が異なる光ディスクとを共に記録・再生することができる互換型光ディスク装置が望まれている。
【０００３】
記録容量が向上した高密度光ディスクに対する記録・再生を可能とするためには、光ディスク装置に用いる光ピックアップ装置の光学系から得られる光スポットの径を小さくする必要がある。スポット径はλ／ＮＡ（ここで、λは光源の波長、ＮＡは対物レンズの開口数）に比例するため、短波長化及び高開口数化によりスポット径を小さくすることができる。短波長化については、上述の通り、波長約４００ｎｍの青紫色半導体レーザの研究が進んでおり、実用化されている。
【０００４】
ところで、一般的に、光ピックアップ装置では、光ディスクの再生時に係るレーザーパワーより、記録時に係るレーザーパワーの方が大きくなる。そのため、再生から記録の切り替え時に、光の波長が数ｎｍ大きくなる現象いわゆるモードホッピング現象が生じる。このモードホッピング現象に伴い、フォーカス位置がずれる。このフォーカスずれは、対物レンズをオートフォーカスさせることにより解消できるが、光の波長が約４００ｎｍと短い場合、従来よりもフォーカスずれは大きくなる。そのため、オートフォーカスするまでの数ｎｓｅｃの間は、フォーカスずれによる記録不良が生じる。従って、モードホッピング現象によるフォーカスずれ量すなわち色収差を小さくするための補正が必要となる。
【０００５】
この課題に対し、特許文献１には、回折パターンの回折作用により、色収差を補正するレンズが開示されている。また、特許文献２には、回折作用を用いない方法で、光利用効率を下げずに、色収差を補正するカップリングレンズが開示されている。
【特許文献１】特開２００２−３０３７８８公報
【特許文献２】特開２００４−１８５７４６公報
【発明の開示】
【発明が解決しようとする課題】
【０００６】
しかしながら、特許文献１に記載の回折作用を利用する方法は、輪帯の総数を増やすことになり、回折効率すなわち光利用効率の低下につながる。また、特許文献２に記載の色収差補正用カップリングレンズは、波長約４００ｎｍの青紫色半導体レーザの単波長専用となっており、ＣＤ（波長約７８０ｎｍ）やＤＶＤ（波長約６５０ｎｍ）などと共に２波長以上で利用可能な互換対物レンズとして使用することができなかった。そのため、ＣＤ、ＤＶＤ及び上記新規格の高密度光ディスクの全てに対応する３波長互換対物レンズを利用し、３波長の光学系を共通にすることにより、光ピックアップ装置の小型化を図ることができなかった。
【０００７】
また、ＣＤ、ＤＶＤ及び上記新規格の高密度光ディスクの全てに対応するように３波長の光学系を共通にした場合、最も短波長である高密度光ディスク用レーザにおける色収差補正を優先して、色収差補正用カップリングレンズの輪帯の段差量を設定すると、ＣＤ用レーザ波長では、対物レンズの入射光束が有限系となる。そのため、トラッキングでの対物レンズシフト時に発生するコマ収差が問題となる。
【０００８】
本発明は、このような問題点を解決するためになされたものであり、２波長以上で利用可能であり、光利用効率が高く、対物レンズシフト時に発生するコマ収差のない色収差補正用カップリングレンズを提供することを目的とする。
【課題を解決するための手段】
【０００９】
本発明の第１の態様に係る色収差補正用カップリングレンズは、透明基板の厚さが異なる複数種の光記録媒体毎に異なる波長の光ビームが入射され、  情報記録面上に集光させる対物レンズの光源側に配置され、少なくとも一方の面に光軸を中心とした同心円状の段差からなる複数の輪帯を備えた色収差補正用のカップリングレンズであって、当該カップリングレンズから出射する光束が有限系となる特定の波長λにおいて、有効半径内Ａに形成された前記段差の大きさをｄＡとし、前記カップリングレンズの光軸から前記対物レンズの光軸がシフトしたときのみに前記特定波長λの光束が通過する領域に形成された前記段差の大きさをｄＢとしたとき、ｄＢ＞ｄＡであるものである。これにより、２波長以上で利用可能であり、光利用効率が高く、対物レンズシフト時に発生するコマ収差のない色収差補正用カップリングレンズを提供することができる。
【００１０】
本発明の態様２に係るカップリングレンズは、上記発明の態様において、ｄＡ＝１０．０×λ１／（ｎ１−１）（ただし、ｎ１は波長λ１における屈折率）であることを特徴とするものである。
【００１１】
本発明の態様３に係るカップリングレンズは、上記発明の態様において、ｄＡ＜ｄＢ≦１０．１×λ１／（ｎ１−１）であることを特徴とするものである。
【００１２】
本発明の態様４に係るカップリングレンズは、上記発明の態様において、前記有限系となる特定の波長λ＝７６０〜８１０ｎｍであることを特徴とするものである。
【００１３】
本発明の態様５に係るカップリングレンズは、上記発明の態様において、前記有限系となる特定の波長λ１＝３８０〜４３０ｎｍであることことを特徴とするものである。
【００１４】
本発明の態様６に係るカップリングレンズは、上記発明の態様において、前記複数の波長に、波長λ２＝６３０〜６９０ｎｍを含むことを特徴とするものである。
【００１５】
本発明の態様７に係るカップリングレンズは、上記発明の態様において、前記輪帯は各々異なる非球面形状を有することを特徴とするものである。
【００１６】
本発明の態様８に係るカップリングレンズは、上記発明の態様において、前記対物レンズが互換レンズであることを特徴とするものである。本発明に係るカップリングレンズは、互換対物レンズであっても使用することができる。
【００１７】
本発明の態様９に係る光ピックアップ装置は、上記発明の態様カップリングレンズを備えたものである。
【発明の効果】
【００１８】
本発明によれば、２波長以上で利用可能であり、光利用効率が高く、対物レンズシフト時に発生するコマ収差のない色収差補正用カップリングレンズを提供することができる。
【発明を実施するための最良の形態】
【００１９】
以下に、本発明の実施の形態について説明する。ただし、本発明が以下の実施の形態に限定される訳ではない。また、説明を明確にするため、以下の記載及び図面は、適宜、省略及び簡略化されている。
【００２０】
本実施の形態は、本発明に係るカップリングレンズを光ディスク装置に適用したものである。本実施の形態では、ＣＤ用の光源とＤＶＤ用の光源とＨＤ−ＤＶＤ用の光源との３つの光源を搭載したモジュールを用いた場合を例示するが、光源の数は３つに限定されることはない。
【００２１】
本発明に係るカップリングレンズは、対物レンズと組み合わせることにより、異なる種類の光ディスクに対し、それぞれ任意の光線高さを通る光線の光路を色収差が出ない、又は少ない状態とするように非球面形状となっている。これにより、それぞれの光ディスクに対して十分に色収差の補正された状態としている。しかも回折作用を用いずに、屈折光線のみで実現するものであるため、回折効率の光量ロスが生じない。
【００２２】
図１は本発明に係るカップリングレンズ３０の構成を示した図であり、（ａ）は正面図、（ｂ）は断面図である。図１に示すように、出射側のレンズ面は光軸（図１（ｂ）におけるｚ軸）を中心としてレンズ半径方向に同心円状に予め定められた隣接段差量ｄで、固有の非球面形状を有する少なくとも２つ以上の輪帯が形成されている。ここで本発明における非球面形状は、光軸からの高さがｈとなる非球面上の座標点における非球面の光軸上での接平面からの距離をＺ（ｈ）、非球面の光軸上での曲率（１／曲率半径）をＣ、コーニック係数をＫ、４次から１６次までの非球面係数をそれぞれＡ４、Ａ６、Ａ８、Ａ１０、Ａ１２、Ａ１４、Ａ１６、定数Ｂとして、以下の数１で表される。
【数１】
2008146706.tif 000003
【００２３】
また、本発明に係るカップリングレンズでは、ＨＤ−ＤＶＤ用レーザ（波長λ１＝３８０〜４３０ｎｍ）、ＤＶＤ用レーザ（波長λ２＝６３０〜６９０ｎｍ）、ＣＤ用レーザ（波長λ３＝７６０〜８１０ｎｍ）の３波長を使用するピックアップ装置用の光学系において、特にＨＤ−ＤＶＤ用レーザにおける対物レンズの色収差を補正でき、かつ、上記３波長に互換性を有するように、隣接段差量が調整されている。隣接段差量ｄは、ｄ＝ｍ１λ１／（ｎ１−１）＝ｍ２λ２／（ｎ２−１）＝ｍ３λ３／（ｎ３−１）（ただし、ｍ１、ｍ２、ｍ３は実数、ｎ１、ｎ２、ｎ３は各々波長λ１、λ２、λ３におけるカップリングレンズの屈折率）と表記でき、上記３波長において色収差を完全に無くすには、ｍ１、ｍ２、ｍ３すべてを自然数とする必要がある。しかし、これは現実不可能である。本発明に係るカップリングレンズでは、ｍ１≒１０、ｍ２≒６、ｍ３≒５とした。より詳細には、９．９≦ｍ１≦１０．１かつ５．９≦ｍ２≦６．１かつ４．９≦ｍ３≦５．１である。これにより、上記３波長すべてにおいて効果的に色収差を補正できる。
【００２４】
さらに、ＨＤ−ＤＶＤ用レーザにおける色収差補正を優先して上記隣接段差量ｄを一定とすると、ＣＤ用レーザ波長では、対物レンズの入射光束が有限系となる。そのため、トラッキングでの対物レンズシフト時に発生するコマ収差が問題となる。
【００２５】
そこで、本発明に係る色収差補正用カップリングレンズでは、ＣＤ用レーザ波長において、対物レンズをシフトした時のみに使用される領域において、上記隣接段差量を微調整している。
【００２６】
これにより、当該領域の各輪帯の波面収差値が小さくなり、総合的な波面収差値も小さくすることができる。本発明において、特にＣＤ用レーザ波長における対物レンズシフト特性を重視した理由は、ＨＤ−ＤＶＤ用レーザにおける色収差補正を優先すると、ＣＤ用レーザ波長の光学系では対物レンズの入射光束が有限系となり、対物レンズシフト特性が悪化するからである。しかしながら、本発明は、対物レンズの入射光束が有限系であれば、ＣＤ用レーザ波長に限らず、どの波長に対しても適用可能である。
【００２７】
（実施例）
図２は、本実施例に係る光ピックアップ装置の概略構成図である。光ピックアップ装置は、図２に示すように、光源１０、ハーフミラー２０、色収差補正用カップリングレンズ３０、絞り４０、対物レンズ５０を備えている。また、本実施例に係る光ピックアップ装置では、ＨＤ−ＤＶＤ用レーザ（波長λ１＝４０７ｎｍ）、ＤＶＤ用レーザ（波長λ２＝６５８ｎｍ）、ＣＤ用レーザ（波長λ３＝７８５ｎｍ）の３波長を使用する。
【００２８】
本実施例に係る色収差補正用カップリングレンズ３０については、図１に示した光出射面を光軸から半径方向に２０個の輪帯に区分し、各々の区間の面形状を、青紫色半導体レーザの色収差を低減するように設定した。具体的には、図１に示した出射面及び入射面について、数１における各定数Ｂ、Ｋ、Ａ４、Ａ６、Ａ８、Ａ１０、Ａ１２を表１及び表２の通りに定めた。なお、面Ａのすべての輪帯及び面Ｂにおいて、Ａ１４＝Ａ１６＝０である。
【表１】
2008146706.tif 000004
【表２】
2008146706.tif 000005
【００２９】
ここで、隣接段差量ｄは、特にＨＤ−ＤＶＤ用レーザ（波長λ１＝４０７ｎｍ）における対物レンズの色収差を補正でき、かつ、上記３波長に互換性を有するように、隣接段差量が調整されている。具体的には、本発明に係る色収差補正用カップリングレンズでは、上述の数式ｄ＝ｍ１λ１／（ｎ１−１）＝ｍ２λ２／（ｎ２−１）＝ｍ３λ３／（ｎ３−１）において、ｍ１を丁度自然数１０になるように、すなわちｍ１＝１０．００に基本的に調整されている。従って、ｍ２＝５．９８≒６、ｍ２＝４．９８≒５となる。
【００３０】
対物レンズ５０のいずれかの面には、少なくとも光軸を含む内周領域とその外側の外周領域の２つの領域が存在している。内周領域は、ＨＤ−ＤＶＤ用レーザ、ＤＶＤ用レーザ及びＣＤ用レーザのすべてを集光する共通使用領域であり、外周領域はＨＤ−ＤＶＤ用レーザとＤＶＤ用レーザを集光する共通使用領域である。対物レンズ５０は、特開２００３−２７０５２８号公報に示されるような屈折方式レンズ、または、特開２０００−８１５６６号公報に示されるような回折レンズ方式のいずれであってもよく、あるいはその他の方式であっても良い。本実施例においては、いわゆる屈折方式を採用している。
【００３１】
対物レンズ５０の入射側の面Ｒ１及び出射側の面Ｒ２についても、光軸からの高さがｈとなる非球面上の座標点における非球面の光軸上での接平面からの距離Ｚ（ｈ）を数１で表すことができる。ＣＤ用レーザが通過する共用領域について数１における各定数Ｋ、Ａ４、Ａ６、Ａ８、Ａ１０、Ａ１２、Ａ１４、Ａ１６を表３の通りに定めた。なお、面Ｒ１及び面Ｒ２いずれにおいても、数１における定数Ｂ＝０である。
【表３】
2008146706.tif 000006
【００３２】
なお、本実施例では、簡単のため、各領域には段差のない構造としているが、各領域を、光軸から半径方向に複数の区間に区分し、該区間に夫々、該光ビームの波長λの違いによって発生する色収差と該光記録媒体の透明基板の厚みの違いによって発生する波面収差とを相殺し合う非球面形状を設定すると光学性能が向上する。
【００３３】
また、色収差補正用カップリングレンズ３０の中心厚は１．５ｍｍ、対物レンズ５０の中心厚は１．２８ｍｍである。色収差補正用カップリングレンズ３０及び対物レンズ５０にはＰＭＭＡ（ポリメチルメタクリレート）、光ディスクにはＰＣ（ポリカーボネート）を使用した。表４には、使用した硝材の各波長における屈折率を示す。
【表４】
2008146706.tif 000007
【００３４】
図２には、光源１０が波長４０７ｎｍのＨＤ−ＤＶＤ用である場合を示す。光源１０から出射された発散光は、ハーフミラー２０を通り、色収差補正用カップリングレンズ３０で略平行光束となり、無限系となる。この平行光束は、絞り４０を通り対物レンズ５０に入射される。対物レンズ５０を透過した光束は、対物レンズ５０により光ディスク６０上に集光される。ここで、像側ＮＡは約０．６５である。
【００３５】
光ディスク６０から反射した光は、対物レンズ５０、色収差補正用カップリングレンズ４０を通過し、ハーフミラー２０によって反射される。ハーフミラー２０を反射した光は、検出レンズを通り光検出器に入射され（不図示）、光電変換されることによりフォーカスサーボ信号、トラックサーボ信号、及び再生信号などを生成する。
【００３６】
図３には、光源１０が波長７８５ｎｍのＣＤ用である場合を示す。図２に示したＨＤ−ＤＶＤ用の場合と同様に、光源１０から出射された光は発散光となる。一方、３波長を互換させているため、ＣＤ用レーザの場合、色収差補正用カップリングレンズ３０を通った光は弱発散光となり、有限系となる。ここで、像側ＮＡは約０．５である。
【００３７】
図４には、図３に示したＣＤ用レーザの光学系において、対物レンズ５０をシフトさせた場合を示した。レンズシフトにより、色収差補正用カップリングレンズ３０が使用される領域が広がることが分かる。従って、ＣＤの有効半径外において対物レンズシフト時に使用される領域すなわち対物レンズシフト時にのみ使用される領域Ｂが存在する。具体的には、本実施例では、表１に示した輪帯５及び６が対物レンズシフト時にのみ使用される領域Ｂに属する。
【００３８】
図５は、光軸に対して垂直な方向から見た色収差補正用カップリングレンズ３０を示しており、上記対物レンズシフト時にのみ使用される領域Ｂを示したものである。この領域Ｂの隣接段差量ｄをＣＤの有効半径内Ａの隣接段差量ｄと変えることにより、レンズシフト特性を良くすることができる。具体的には、本実施例では、輪帯５及び６が対物レンズシフト時にのみ使用される領域Ｂに属するため、輪帯４と５との隣接段差量及び輪帯５と６との隣接段差量をＣＤの有効半径内Ａの隣接段差量よりも大きくしている。
【表５】
2008146706.tif 000008
【００３９】
詳細には、カップリングレンズから出射する光束が有限系となるＣＤ用レーザ波長λ３において、有効半径内Ａに形成されている段差の大きさをｄＡ＝ｍ３Ａλ３／（ｎ３−１）（ただし、ｍ３Ａは実数、ｎ３は波長λ３における屈折率）とし、この対物レンズがシフトした時のみに光束が通過する領域Ｂに形成されている段差の大きさをｄＢ＝ｍ３Ｂλ３／（ｎ３−１）とすると、ｍ３Ｂ＞ｍ３Ａとする。これにより、対物レンズシフト時に発生するコマ収差を低減することができる。
【００４０】
本実施例では、ＨＤ−ＤＶＤ用レーザであるλ１＝４０７ｎｍにおける色収差補正を優先して、λ１の丁度整数倍になるように基準となる隣接段差量を決定している。具体的には、隣接段差量ｄＡ＝１０.００×λ１／（ｎ１−１）＝４．９８×λ３／（ｎ３−１）＝８．０３９３μｍである。すなわち、ｍ１＝１０．００であり、ｍ３Ａ＝４．９８であるため、輪帯４と５との隣接段差量ｄＢ＝１０.０６×λ１／（ｎ１−１）＝５．０１×λ３／（ｎ３−１）＝８．０８９３μｍ（ここで、４．９８＝ｍ３Ａ＜ｍ３Ｂ＝５．０１）とし、基準となる隣接段差量すなわちＣＤの有効半径内Ａの隣接段差量ｄより０．０５μｍ大きくした。また、輪帯５と６との隣接段差量ｄＢ＝１０.０８×λ１（ｎ１−１）＝５．０２×λ３／（ｎ３−１）＝８．０９９３μｍ（ここで、４．９８＝ｍ３Ａ＜ｍ３Ｂ＝５．０２）とし、基準となる隣接段差量すなわちＣＤの有効半径内Ａの隣接段差量ｄＡより０．０６μｍ大きくした。表５に、有効半径内Ａ及び領域Ｂにおける隣接段差量ｄ、これに対応するｍ１、ｍ２、ｍ３及びΔｍ３＝ｍ３Ａ−ｍ３Ｂを示す。
【００４１】
λ１＝４０７ｎｍにおける色収差を良好に保つために、ｄＡ＜ｄＢ≦１０．１×λ１／（ｎ１−１）であることが好ましい。また、輪帯６と７との隣接段差量は７．９２９３μｍとし、上記２つの隣接段差量での総増加量である０．１１μｍだけ基準となる隣接段差量よりも小さくしている。これにより、λ１＝４０７ｎｍにおける色収差を良好に保つことができる。
【００４２】
（比較例）
比較例では、色収差補正用カップリングレンズのすべての輪帯における隣接段差量ｄが一定となっている。すなわち、上記実施例との相違点は、色収差補正用カップリングレンズを規定する数１における各定数Ｂのみである。この数１における各定数Ｂを表６の通りに定めた。
【表６】
2008146706.tif 000009
【００４３】
図６に、実施例及び比較例の波長７８５ｎｍのＣＤ用レーザにおける色収差補正用カップリングレンズと対物レンズとの光軸が一致した光学系での波面収差図を示す。横軸は光線高さ、縦軸は波面収差値である。この結果、色収差補正カップリングレンズは４輪帯目まで使用されており、Ｔｏｔａｌ波面収差は約０．００９λｒｍｓ、色収差は約−０．０５μｍ／ｎｍである。なお、実施例及び比較例の色収差補正用カップリングレンズにおいて４輪帯目までは同一の構造である。
【００４４】
図７に、実施例において、色収差補正用カップリングレンズの光軸に対し、０．３ｍｍ対物レンズがシフトした場合の波面収差図を示す。７８５ｎｍのレーザでは、色収差カップリングレンズを通った光、すなわち対物レンズに入る光は弱発散光となる。そのため、対物レンズのシフトにより、色収差補正カップリングレンズは、６輪帯目まで使用されている。ここで、ＣＤレーザ使用で対物レンズが０．３ｍｍレンズシフトをしたときのみに使用される領域Ｂは色収差補正用カップリングレンズの５、６輪帯目に該当する。実施例では、色収差補正用カップリングレンズにおける輪帯４と５との隣接段差量を有効半径内Ａの隣接段差量より０．０５μｍ大きく、輪帯５と６との隣接段差量を有効半径内Ａの隣接段差量より０．０６μｍ大きくしている。すなわち、領域Ｂの２つの隣接段差量において合計０．１１μｍ、有効半径内Ａの隣接段差量よりも大きくしている。その結果、Ｔｏｔａｌ波面収差値は約０．０１０λｒｍｓとなった。
【００４５】
図８に、比較例において、色収差補正用カップリングレンズの光軸に対し、０．３ｍｍ対物レンズがシフトした場合の波面収差図を示す。実施例と同様に、６輪帯目まで使用されている。比較例では、色収差補正用カップリングレンズにおけるすべての隣接段差量が同一である。このＴｏｔａｌ波面収差値は約０．０１５λｒｍｓである。
【００４６】
上記の通り、実施例では、ＣＤレーザ使用で対物レンズが有効径外から０．３ｍｍレンズシフトをしたときのみに使用される領域Ｂにおける輪帯５及び６について改善設計している。図７と図８を比較すると、実施例は比較例に対し、輪帯６では約０．１λ小さくなっており、輪帯５でも小さくなっている。そして、輪帯４〜６の波面収差がほぼ連続している。この結果、Ｔｏｔａｌ波面収差値は約０．０１０λｒｍｓとなり、比較例に対し約５ｍλｒｍｓも減少している。
【００４７】
表７に実施例及び比較例の色収差の一覧を示す。色収差は、波長１ｎｍの変化に対する焦点の位置ずれ（μｍ）である。実施例の色収差は、波長７８５ｎｍ及び波長６５８ｎｍでは、各々約−０．０５μｍ／ｎｍ、−０．１２μｍ／ｎｍであり、比較例と変わらない。また、波長４０７ｎｍでの色収差も、比較例が０．０７μｍ／ｎｍであるのに対し０．０８μｍ／ｎｍであり、同等である。すなわち、色収差補正機能を保持しつつ、波長７８５ｎｍでのレンズシフト特性を向上することができる。
【表７】
2008146706.tif 000010
【図面の簡単な説明】
【００４８】
【図１】本発明に係るカップリングレンズを示す模式図である。
【図２】本発明に係る光ピックアップ装置の光学系図を示す模式図である。
【図３】本発明に係る光ピックアップ装置の光学系図を示す模式図である。
【図４】本発明に係る光ピックアップ装置における対物レンズシフト時の光学系図を示す模式図である。
【図５】本発明に係るカップリングレンズにおける対物レンズシフト時にのみ使用される領域Ｂを示す模式的平面図である。
【図６】実施例及び比較例におけるカップリングレンズと対物レンズとの光軸が一致した光学系での波面収差図である。
【図７】実施例における対物レンズシフト時の光学系での波面収差図である。
【図８】比較例における対物レンズシフト時の光学系での波面収差図である。
【符号の説明】
【００４９】
１０  光源
２０  ハーフミラー
３０  色収差補正用カップリングレンズ
４０  絞り
５０  対物レンズ
６０  光ディスク
【図１】
2008146706.tif 000011
【図２】
2008146706.tif 000012
【図３】
2008146706.tif 000013
【図４】
2008146706.tif 000014
【図５】
2008146706.tif 000015
【図６】
2008146706.tif 000016
【図７】
2008146706.tif 000017
【図８】
2008146706.tif 000018